(57)【要約】【課題】本発明の目的は、寒冷環境に設置しても凍結により、使用不能になることはなく、機器の故障や破損を防ぐ圧送装置付き仮設トイレを提供することにある。【解決手段】本発明では、仮設トイレ本体と、前記仮設トイレ本体内に配設された水洗式便器と、前記水洗式便器の排出口と連通し、排出された洗浄水に含まれた汚物やペーパーを粉砕するとともに、洗浄水と洗浄水に分散した粉砕物を排出する圧送装置と、前記圧送装置から汚水枡までを結ぶ排水経路と、を備えた圧送装置付き仮設トイレであって、温度を検知する温度センサと、前記温度センサの信号を受信する制御部と、前記制御部に接続され前記圧送装置に給水できる給水手段を有し、前記温度センサが所定温度以下を感知すると、前記制御部を介して前記給水手段を稼動させ、前記給水手段から前記圧送装置に給水し、前記排水経路を通水することを特徴とする．【選択図】  図１
2004285761.tif 000002
【特許請求の範囲】
【請求項１】
仮設トイレ本体と、前記仮設トイレ本体内に配設された水洗式便器と、前記水洗式便器の排出口と連通し、排出された洗浄水に含まれた汚物やペーパーを粉砕するとともに、洗浄水と洗浄水に分散した粉砕物を排出する圧送装置と、前記圧送装置から汚水枡までを結ぶ排水経路と、を備えた圧送装置付き仮設トイレであって、温度を検知する温度センサと、前記温度センサの信号を受信する制御部と、前記制御部に接続され前記圧送装置に給水できる給水手段を有し、前記温度センサが所定温度以下を感知すると、前記制御部を介して前記給水手段を稼動させ、前記給水手段から前記圧送装置に給水し、前記排水経路を通水することを特徴とする圧送装置付き仮設トイレ。
【請求項２】
前記水洗式便器は、洗浄水を貯水する貯水タンクを有し、前記給水手段は、前記貯水タンクと前記圧送装置とを連通する連通管と、前記連通管に内接され前記制御部により開閉制御可能な開閉部を備えたことを特徴とする請求項１に記載の圧送装置付き仮設トイレ。
【請求項３】
前記圧送装置内に、前記制御部と連動したヒーターを設け、前記温度センサが所定温度以下を感知すると、前記制御部を介して前記ヒーターを稼動させることを特徴とする請求項１または２に記載の圧送装置付き仮設トイレ。
【請求項４】
仮設トイレ本体と、前記仮設トイレ本体内に配設された水洗式便器と、前記水洗式便器の排出口と連通し、排出された洗浄水に含まれた汚物やペーパーを粉砕するとともに、洗浄水と洗浄水に分散した粉砕物を排出する圧送装置と、前記圧送装置から汚水枡までを結ぶ排水経路と、を備えた圧送装置付き仮設トイレであって、温度を検知する温度センサと、前記温度センサの信号を受信する制御部と、不凍液を貯水する容器と、前記容器の不凍液を前記圧送装置に供給する不凍液供給手段とを有し、前記温度センサが所定温度以下を感知すると、前記制御部を介して前記不凍液供給手段を稼動させ、前記圧送装置に不凍液を供給し、前記圧送装置および前記排水経路に不凍液を滞留させることを特徴とする圧送装置付き仮設トイレ。
【発明の詳細な説明】
【０００１】
【発明の属する技術分野】
本発明は、建築、工事現場に一時的に設置される仮設トイレに係り、特に寒冷環境に設置されても安定して使用可能な圧送装置付き仮設トイレに関する発明である。
【０００２】
【従来の技術】
従来から圧送装置付き仮設トイレは、便器からの汚物を粉砕し、粉砕物をポンプから強制的に排出する圧送装置が備え付けられている。このため、仮設トイレからの汚物を小口径でフレキシブルな排水配管で構成できるため、排水先までの勾配が不要で設置場所の制約を受けず、また仮設トイレ設置後の移動が可能であるという利点がある（例えば、特許文献１参照。）。
【０００３】
【特許文献１】
特開平３−１３７３２９号公報（第２頁、第４図）
【０００４】
【発明が解決しようとする課題】
仮設トイレはほとんどが屋外に設置される。特に圧送装置付き仮設トイレは、排水配管径が小さく、露出していることが多いため圧送装置内、排水配管内に滞留した水が凍結し仮設トイレが使用できなくなったり、圧送装置や排水配管の破損にもつながる。
本発明は、上記課題を解決するためになされたもので、本発明の目的は、寒冷環境に設置しても凍結により、使用不能になることはなく、機器の故障や破損を防ぐ圧送装置付き仮設トイレを提供することにある。
【０００５】
【課題を解決するための手段】
上記目的を達成するために請求項１記載の発明は、仮設トイレ本体と、前記仮設トイレ本体内に配設された水洗式便器と、前記水洗式便器の排出口と連通し、排出された洗浄水に含まれた汚物やペーパーを粉砕するとともに、洗浄水と洗浄水に分散した粉砕物を排出する圧送装置と、前記圧送装置から汚水枡までを結ぶ排水経路と、を備えた圧送装置付き仮設トイレであって、温度を検知する温度センサと、前記温度センサの信号を受取る制御部と、前記制御部に接続され前記圧送装置に給水できる給水手段を有し、前記温度センサが所定温度以下を感知すると、前記制御部を介して前記給水手段を稼動させ、前記給水手段から前記圧送装置に給水し、前記排水経路を通水することを特徴とする。
本発明の圧送装置付き仮設トイレは、仮設トイレ非使用時に排水経路に滞留した排水が凍結する前に、所定温度以下になったことを温度センサにより検知し、制御部に信号を送り、制御部と連動した給水手段から圧送装置に給水し、流入した水を圧送装置で排出し、排水経路を通水させる。
よって、圧送装置や排水経路内に長期的に滞留する排水がなくなり凍結が防止される。さらに温度センサと制御部により自動的に凍結を防止できる。
【０００６】
請求項２記載の発明は、請求項１記載の発明の実施形態として用いることができる発明であって、前記水洗式便器は、洗浄水を貯水する貯水タンクを有し、前記給水手段は、前記貯水タンクと前記圧送装置とを連通する連通管と、前記連通管に内接され前記制御部により開閉制御可能な開閉部を備えたことを特徴とする。
本発明によれば、温度センサが所定温度以下を感知すると、制御部に信号を送り、制御部と連動した開閉部が開き、貯水タンクから圧送装置に給水される。
圧送装置への給水手段として上水に直接つながないため、上水の引き込みが不要となり、また一旦縁切りされた貯水タンクの貯留水を給水しているので縁切り構造も不要となる。
また、本発明の好ましい態様においては、開閉部は、貯水タンクから水洗式便器へ洗浄水を送るために開閉する洗浄開始弁と共通としてもよく、給水手段として新たに部材を追加することなく目的が達成される。
【０００７】
請求項３記載の発明は、請求項１または２記載の発明の実施形態として用いることができる発明であって、前記圧送装置内に、前記制御部と連動したヒーターを設け、前記温度センサが所定温度以下を感知すると、前記制御部を介して前記ヒーターを稼動させることを特徴とする。
本発明によれば、温度センサで所定温度を感知すると、制御部を介して圧送装置内のヒーターを起動させ、圧送装置内の排水を加温し、温められた排水を圧送装置で排出し排水経路に通水する。
よって、凍結防止効果が高まり、凍結防止作動時間の短縮、作動間隔の伸長が可能となり効率的になる。また通水だけでは凍結防止が不可能な寒冷環境でも対応がとれる。
【０００８】
請求項４記載の発明は、仮設トイレ本体と、前記仮設トイレ本体内に配設された水洗式便器と、前記水洗式便器の排出口と連通し、排出された洗浄水に含まれた汚物やペーパーを粉砕するとともに、洗浄水と洗浄水に分散した粉砕物を排出する圧送装置と、前記圧送装置から汚水枡までを結ぶ排水経路と、を備えた圧送装置付き仮設トイレであって、温度を検知する温度センサと、前記温度センサの信号を受信する制御部と、不凍液を貯水する容器と、前記容器の不凍液を前記圧送装置に供給する不凍液供給手段とを有し、前記温度センサが所定温度以下を感知すると、前記制御部を介して前記不凍液供給手段を稼動させ、前記圧送装置に不凍液を供給し、前記圧送装置および前記排水経路に不凍液をに滞留させることを特徴とする。
本発明によれば、仮設トイレ非使用時に排水経路に滞留した排水が凍結する前に、所定温度以下になったことを温度センサにより検知し、制御部と連動した不凍液供給手段から圧送装置に不凍液を供給し、圧送装置が不凍液を排水経路に排出し、圧送装置および排水経路に不凍液を滞留させる。
よって、圧送装置および排水経路内の滞留水が不凍液と置換され凍結が防止される。また通水による捨て水のむだもなくなる。
【０００９】
【発明の実施の形態】
以下、本発明の実施の形態を、図面を参照して説明する。図１は本発明の圧送装置付き仮設トイレの構成図を示している。仮設トイレ本体１に配設された水洗式便器２には、洗浄水を貯水する貯水タンク３と便器洗浄水送水配管１４で通水可能に連通している。貯水タンク３には洗浄水を補給するため給水管５がつながっている。
便器洗浄時には、貯水タンク３の洗浄水は洗浄開始レバー１３により水洗式便器２に送水され、洗浄後の汚物を含んだ排水は、便器配水管６を通って本体架台１ａ内に設置された圧送装置４に送り込まれる。圧送装置４内には流入した排水の水位を検知する水位センサ７が設けられ、水位センサ７の信号により、排水に含まれた汚物を粉砕するとともに排水配管８を通して排出する。
また、本体架台１ａの側面外部には制御部９に信号線でつながった温度を感知する温度センサ１０が設けられており、外気温を測定できる。さらに仮設トイレ本体１の背面には、給水手段として貯水タンク３と圧送装置４を連結する送水配管１２と、制御部９により開閉制御可能な開閉部としてバルブ１１が備えられている。所定温度以下になると温度センサ１０は信号線を通して制御部９に信号を送付し、信号を受けた制御部９はバルブ１１を開かせる。これにより貯水タンク３に貯水された洗浄水は、送水配管１２を通って圧送装置４に送水され、圧送装置４内の水位センサ７により圧送装置４を稼動させ排水配管８により排水する。
また、圧送装置４内にヒーター１６を設け、温度センサ１０からの所定温度以下を検知すると、排水配管８を通水すると同時にまたは通水以前に、ヒーター１６を稼動させ凍結防止効果を上げてもよい。ヒーター１６は、凍結防止の通水時に常に稼動させる必要はなく、温度センサ１０の感知温度により制御部９が判断するように設定しても構わない。
温度センサ１０、制御部９は仮設トイレ本体１内・外、圧送装置４内、本体架台１ａ内、いずれであっても構わず、設置場所は特定しない。また圧送装置４の運転を制御部９により制御しても構わない。
【００１０】
図２は、本発明の別の実施例を示した構成図である。前記の実施例と同一または相当する部分については同一の符号を付し、詳細な説明を省略する。洗浄開始弁レバー１３の操作は、制御部９により制御可能に設置されている。ここで制御部９によって開閉可能な開閉部としては、洗浄開始レバー１３と、便器洗浄の際に貯水タンク３の底部で開閉する図示しない洗浄開始弁である。
温度センサ１０が所定温度以下を検知すると制御部９は、洗浄開始レバー１３を操作し、洗浄開始弁を開き、貯水タンク３の洗浄水を、便器洗浄水送水配管１４、水洗式便器２、便器配水管６を通過して圧送装置４に送水し、更に圧送装置４から排水配管８に排水する。なお、図示しない洗浄開始弁を用いずに、便器洗浄水送水配管１４の途中や水洗式便器２に制御部９により開閉制御可能なバルブを介して貯水タンクと連通させ、同様に便器を経由して通水しても構わない。またヒーター１６を備えれば、効率よく凍結を防止できる。
以上は、所定温度以下を検知すると通水作動を起動させるが、常に継続的に作動させる必要はなく、定期的に一定時間を作動させる制御であっても構わない。
【００１１】
図３は、本発明の別の実施例を示した構成図である。前記の実施例と同一または相当する部分については同一の符号を付し、詳細な説明を省略する。仮設トイレ本体１の側壁には不凍液を貯水する不凍液容器１５が備え付けられている。さらに不凍液供給手段として、不凍液容器１５と圧送装置４とを連通させる不凍液供給配管１７と、制御部９により開閉制御可能なバルブ１１を備えている。
温度センサ１０が所定温度以下を検知すると、温度センサ１０の信号は制御部９に送られ制御部９はバルブ１１を開く。不凍液は不凍液供給配管１７を通って圧送装置４、排水配管８に送水され、配管経路８中に滞留していた排水が不凍液に置換するように通水し、一定流量通水後または一定時間経過後バルブ１１は閉まる。不凍液の投入先は、圧送装置４に限定されず給水管５、貯水タンク３、便器洗浄水送水配管１４、水洗式便器２、便器排水管６、排水配管８であっても構わない。
【００１２】
【発明の効果】
本発明によれば、寒冷環境に設置されても凍結の心配のない圧送装置付き仮設トイレを提供することが可能となる。
【図面の簡単な説明】
【図１】本発明の圧送装置付き仮設トイレ示す構成図である。
【図２】本発明の圧送装置付き仮設トイレ示す構成図である。
【図３】本発明の圧送装置付き仮設トイレ示す構成図である。
【符号の説明】
１…仮設トイレ本体
１ａ…本体架台
２…水洗式便器
３…貯水タンク
４…圧送装置
５…給水管
６…便器配水管
７…水位センサ
８…排水配管
９…制御部
１０…温度センサ
１１…バルブ
１２…送水配管
１３…洗浄開始レバー
１４…便器洗浄水送水配管
１５…不凍液容器
１６…ヒーター
１７…不凍液供給配管
【図１】
2004285761.tif 000003
【図２】
2004285761.tif 000004
【図３】
2004285761.tif 000005